(57)【要約】  【課題】  実時間より遅延している再生コンテンツの表示と、実時間に対して遅延の無い再生データ情報の表示を競合させないコンテンツ視聴端末を提供することを目的とする。  【解決手段】  コンテンツ３を受信するコンテンツ受信部７と、データ情報４を受信するデータ情報受信部９と、コンテンツ受信部７で受信された受信コンテンツ８とデータ情報受信部９で受信された受信データ情報１０を再生して再生コンテンツ１２と再生データ情報１４を出力する再生部１１と、再生コンテンツ１２と再生データ情報１４を表示する表示部１５と、再生データ情報１４の表示を許可するデータ情報表示許可部１３を備えるコンテンツ視聴端末５により、実時間より遅延している再生コンテンツ１２の表示と、実時間に対して遅延の無い再生データ情報１４の表示の競合を防止する。【選択図】  図１
2006222681.tif 000002
【特許請求の範囲】
【請求項１】
コンテンツを受信して受信コンテンツを出力するコンテンツ受信部と、
データ情報を受信して受信データ情報を出力するデータ情報受信部と、
前記受信コンテンツと前記受信データ情報を再生して再生コンテンツと再生データ情報を出力する再生部と、
前記再生コンテンツと前記再生データ情報を表示する表示部と、
前記再生データ情報の表示を許可するデータ情報表示許可部を備えるコンテンツ視聴端末。
【請求項２】
前記受信コンテンツを記録して記録コンテンツを出力するコンテンツ記録部を備える請求項１記載のコンテンツ視聴端末。
【請求項３】
前記受信コンテンツ、及び前記記録コンテンツのいずれか一方を前記再生部での再生の対象とする切り替え部をさらに備える請求項２記載のコンテンツ視聴端末。
【請求項４】
前記データ情報は、放送網を介して配信される請求項１から３のいずれか記載のコンテンツ視聴端末。
【請求項５】
前記データ情報は、インターネット網を介して配信される請求項１から３のいずれか記載のコンテンツ視聴端末。
【請求項６】
前記データ情報表示許可部は、前記再生コンテンツの再生時刻の実時刻に対する遅延時間を検出する遅延検出部と、前記再生コンテンツと前記再生データ情報の関連度を検出する関連度算出部を備え、前記遅延検出部と前記関連度算出部の結果に基づいて前記再生データ情報の表示を許可する請求項１から５のいずれか記載のコンテンツ視聴端末。
【請求項７】
前記遅延検出部は、前記再生コンテンツに含まれる時刻情報と、前記コンテンツ視聴端末の有する実時刻情報を用いて遅延時間を検出する請求項６記載のコンテンツ視聴端末。
【請求項８】
前記時刻情報は、前記再生コンテンツに含まれるフレームのフレーム番号とフレーム間隔より求められる請求項７記載のコンテンツ視聴端末。
【請求項９】
前記関連度算出部は、前記再生コンテンツと前記再生データ情報に共通に含まれる用語の比較により関連度を算出する請求項６記載のコンテンツ視聴端末。
【請求項１０】
前記関連度は、前記再生コンテンツと前記再生データ情報に共通に含まれる用語の個数に基づいて算出される請求項９記載のコンテンツ視聴端末。
【請求項１１】
前記データ情報表示許可部は、前記遅延検出部で遅延時間が所定値未満の場合に前記再生データ情報を表示する請求項６から１０のいずれか記載のコンテンツ視聴端末。
【請求項１２】
前記データ情報表示許可部は、前記関連度検出部で関連度が所定値未満の場合に前記再生データ情報を表示する請求項６から１０のいずれか記載のコンテンツ視聴端末。
【請求項１３】
前記データ情報表示許可部は、前記再生データ情報の表示の許可を求める問い合わせ表示を行う請求項６から１２のいずれか記載のコンテンツ視聴端末。
【請求項１４】
前記コンテンツ視聴端末は視聴者による設定項目を設定する設定部をさらに備え、前記データ情報表示許可部は、前記設定部に設定された設定項目に応じて前記再生データ情報表示、及び問い合わせ表示のいずれか一方を許可する請求項１３記載のコンテンツ視聴端末。
【請求項１５】
前記データ情報表示許可部は、前記遅延検出部で検出された遅延時間の経過後に、前記再生データ情報を表示する請求項６から１０のいずれか記載のコンテンツ視聴端末。
【請求項１６】
前記コンテンツ視聴端末が、テレビ受信機である請求項１から１５のいずれか記載のコンテンツ視聴端末。
【請求項１７】
前記コンテンツ視聴端末が、テレビ受信機能を有する携帯電話である請求項１から１５のいずれか記載のコンテンツ視聴端末。
【発明の詳細な説明】
【技術分野】
【０００１】
本発明は、コンテンツとは別に配信されるデータ情報の表示を行うコンテンツ視聴端末に関するものである。
【背景技術】
【０００２】
受信したコンテンツを再生するのと並行してコンテンツを記録し、コンテンツを視聴している最中に視聴を中断した場合であっても、記録されているコンテンツの再生により、中断時の状態からコンテンツを途切れなく視聴するテレビ受信機などのコンテンツ視聴端末が普及し始めている（例えば特許文献１参照）。
【０００３】
更に、コンテンツの再生のみならず、各種のデータ情報を受信してコンテンツに重ねて再生表示する機能を有したコンテンツ視聴端末も普及し始めている。例えば、野球や相撲などのスポーツの結果や、選挙結果などがコンテンツとは別個に配信されて表示され、視聴者がリアルタイムに情報を得ることができる。また、このようなリアルタイムのデータ情報は、放送網により配信されるだけでなく、電子メールなどによっても配信される。特に、インターネットの普及に伴い、プロバイダーなどが電子メールを用いた情報提供サービスを行うことも増えている。この電子メールを用いたデータ情報の提供サービスは、テレビ受信機などのコンテンツを再生、表示するコンテンツ視聴端末に配信して表示する形態のものも増えている。このようなデータ情報の配信及び表示により、視聴者にとってフレンドリーなサービスを提供することができる。
【０００４】
しかしながら、（特許文献１）に記載のような視聴中断した場合に中断時から表示を行うコンテンツ視聴端末では、コンテンツの再生は実際の配信よりも遅延して行われている。このためスポーツ中継などのリアルタイムでのコンテンツ配信では、実際の試合経過よりも遅れてコンテンツの再生が行われている状態が発生しうる。このように実際の試合経過などよりも遅延してコンテンツ再生、表示が行われているコンテンツ視聴端末に、試合結果速報などのデータ情報がコンテンツ配信とは別個に受信されて表示されると、表示されている試合終了前にデータ情報が表示される事態が生じる。このような事態が生じると、視聴者の興趣を著しく損なう結果となり好ましくない。
【０００５】
また、このような問題は視聴中断に対応したコンテンツ再生、表示を行う場合だけでなく、あらかじめ記録しておいたコンテンツを再生、表示する場合にも生じうる。この場合にも、コンテンツ視聴の楽しみが損なわれる問題がある。あるいは、放送局などの都合により、実際の試合進行などに比べて遅れてコンテンツが配信される場合にも、同様の問題が生じうる。
【０００６】
図１３は従来の技術におけるコンテンツ視聴端末のブロック図である。
【０００７】
放送局１００は、放送網１０２を介してコンテンツ１０３やデータ情報１０４を配信する。コンテンツ１０３は、例えばスポーツ中継などの放送そのものであり、データ情報１０４は、例えば試合結果や速報などに関する情報である。配信されたコンテンツ１０３はアンテナ１０５を介してコンテンツ受信部１０６で受信される。同様に、配信されたデータ情報１０４もアンテナ１０５を介してデータ情報受信部１０６で受信される。受信されたコンテンツは直接再生部１１２に入力する線路と、コンテンツ記録部１０８に入力する線路とに分かれる。コンテンツ記録部１０８は、一定時間ごとにコンテンツを上書き記録し、記録コンテンツ１０９を再生部１１２に出力する。再生部１１２は、視聴者の視聴中断が非存在の期間は受信したコンテンツ１１０を直接再生し、視聴中断が存在した後では、中断期間に記録された記録コンテンツ１０９を再生する。
【０００８】
一方、データ情報受信部１０６は、受信データ情報１１１を再生部１１２に出力し、再生部１１２は入力した受信コンテンツ１１０もしくは記録コンテンツ１０９のいずれかと共に受信データ情報１１１を再生する。表示部１１３は、再生されたコンテンツとデータ情報を画像や音声によって表示する。この処理により、データ情報はリアルタイムに表示されるのに対して、コンテンツは場合によって遅延して表示されることがある。このため、スポーツ中継などの進行よりも先に、試合結果などを含むデータ情報が表示される問題がある。また、放送局１００によるコンテンツの配信そのものが遅延している場合にも、同様の問題がある。
【０００９】
図１４は従来の技術におけるデータ情報画面の模式図である。スポーツ中継が終了する前に、試合結果が表示されてしまうことがある。これらの問題はスポーツ中継に限らず、選挙中継やニュース中継などであっても同様に起こりうる。
【００１０】
以上のように、視聴を中断する必要がある場合に中断期間も含めたコンテンツ視聴を可能とするコンテンツ視聴端末と、視聴者にとって有益なサービスであるデータ情報の表示とが相互に競合して視聴者の視聴の楽しみを著しく損なう問題があった。
【特許文献１】特開２００２−１１８８１０号公報
【発明の開示】
【発明が解決しようとする課題】
【００１１】
そこで本発明は、実時間より遅延している再生コンテンツの表示と、実時間に対して遅延のない再生データ情報の表示を競合させないコンテンツ視聴端末を提供することを目的とする。
【課題を解決するための手段】
【００１２】
第１の発明に係るコンテンツ視聴端末は、コンテンツを受信して受信コンテンツを出力するコンテンツ受信部と、データ情報を受信して受信データ情報を出力するデータ情報受信部と、受信コンテンツと受信データ情報を再生して再生コンテンツと再生データ情報を出力する再生部と、再生コンテンツと再生データ情報を表示する表示部と、再生データ情報の表示を許可するデータ情報表示許可部を備える。
【００１３】
この構成により、実時刻より遅延して再生される再生コンテンツの表示と、実時間に対して遅延無く再生される再生データ情報の表示の競合を防止することができ、視聴者の視聴の楽しみを著しく損なうことを防止する。
【００１４】
第２の発明に係るコンテンツ視聴端末は、受信コンテンツを記録して記録コンテンツを出力するコンテンツ記録部を備える。
【００１５】
この構成により、配信されたコンテンツを記録した上で、事後的に再生して視聴する場合であっても、リアルタイムに配信されて再生されるコンテンツに関する再生データ情報の表示を、再生コンテンツの表示に合わせて表示させることができる。
【００１６】
第３の発明に係るコンテンツ視聴端末は、受信コンテンツ、及び記録コンテンツのいずれか一方を再生部での再生の対象とする切り替え部をさらに備える。
【００１７】
この構成により、視聴中断中のコンテンツの再生、表示を行うことでの実時刻よりも遅延したコンテンツの再生、表示が生じても、リアルタイムに配信されて再生されるコンテンツ関する再生データ情報の表示を、再生コンテンツの表示と競合させることを防止する。
【００１８】
第４の発明に係るコンテンツ視聴端末は、データ情報は、放送網を介して配信される。
【００１９】
この構成により、放送網を通じてリアルタイムに配信されるデータ情報であっても、実時刻よりも遅延の可能性のある再生コンテンツとの表示の競合を防止することができる。
【００２０】
第５の発明に係るコンテンツ視聴端末は、データ情報は、インターネット網を介して配信される。
【００２１】
この構成により、様々な電子メールサービスなどによりリアルタイムに配信されるデータ情報であっても、実時刻よりも遅延の可能性のある再生コンテンツとの表示の競合を防止することができる。
【００２２】
第６の発明に係るコンテンツ視聴端末は、データ情報表示許可部は、再生コンテンツの再生時刻の実時刻に対する遅延時間を検出する遅延検出部と、再生コンテンツと再生データ情報の関連度を検出する関連度算出部を備え、遅延検出部と関連度算出部の結果に基づいて再生データ情報の表示を許可する。
【００２３】
この構成により、コンテンツの再生が実時刻よりも遅延していることを自動で検出し、更に再生コンテンツと再生データ情報との関連も自動で検出することで、視聴者への特段の負担を要さずに、再生コンテンツと再生データ情報との表示の競合を自動で防止することができる。
【００２４】
第７の発明に係るコンテンツ視聴端末は、遅延検出部は、再生コンテンツに含まれる時刻情報と、コンテンツ視聴端末の有する実時刻情報を用いて遅延時間を検出する。
【００２５】
この構成により、コンテンツ再生の実時刻に対する遅延を最小限の情報から検出することができ、特段の装置やプログラムを要さずに遅延時間の検出が可能となる。
【００２６】
第８の発明に係るコンテンツ視聴端末は、時刻情報は、再生コンテンツに含まれるフレームのフレーム番号とフレーム間隔より求められる。
【００２７】
この構成により、コンテンツがあらかじめ有している要素のみで、コンテンツの実時刻に対する再生時刻の遅延を検出することができ、簡易な構成でコンテンツの再生遅延を自動検出できる。
【００２８】
第９の発明に係るコンテンツ視聴端末は、関連度算出部は、再生コンテンツと再生データ情報に共通に含まれる用語の比較により関連度を算出する。
【００２９】
この構成により、コンテンツとデータ情報があらかじめ有している要素のみを用いた簡易な構成で、データ情報のコンテンツに対する関連性を算出できる。
【００３０】
第１０の発明に係るコンテンツ視聴端末は、関連度は、再生コンテンツと再生データ情報に共通に含まれる用語の個数に基づいて算出される。
【００３１】
この構成により、コンテンツとデータ情報があらかじめ有している要素のみを用いた簡易な構成で、データ情報のコンテンツに対する関連性を算出でき、再生データ情報の表示の競合を自動かつ効率的に防止することができる。
【００３２】
第１１の発明に係るコンテンツ視聴端末は、データ情報表示許可部は、遅延検出部で遅延時間が所定値未満の場合に再生データ情報を表示する。
【００３３】
この構成により、自動で検出された遅延時間の結果のみで、再生データ情報の表示の可否を決定することができ、遅延時間が所定値未満の場合には、コンテンツへの関連性の有無にかかわらず、再生データ情報を表示しても視聴者の利益を害さないとの観点で、早期の表示が可能となる。
【００３４】
第１２の発明に係るコンテンツ視聴端末は、データ情報表示許可部は、関連度検出部で関連度が所定値未満の場合に再生データ情報を表示する。
【００３５】
この構成により、自動で検出された関連度のみで、再生データ情報の表示の可否を決定することができる。特に、関連度が所定値未満の場合には、再生コンテンツの表示の遅延の有無にかかわらず、再生データ情報を表示しても視聴者の利益を害さないとの観点で、早期の表示が可能となる。
【００３６】
第１３の発明に係るコンテンツ視聴端末は、データ情報表示許可部は、再生データ情報の表示の許可を求める問い合わせ表示を行う。
【００３７】
この構成により、再生データ情報の表示が、再生コンテンツの表示と競合すると判断された場合には、視聴者に対して再生データ情報の表示の許可を問い合わせることができ、視聴者に判断を委ねて処理するユーザビリティの高い制御を行うことができる。
【００３８】
第１４の発明に係るコンテンツ視聴端末は、コンテンツ視聴端末は視聴者による設定項目を設定する設定部をさらに備え、データ情報表示許可部は、設定部に設定された設定項目に応じて再生データ情報表示、及び問い合わせ表示のいずれか一方を許可する。
【００３９】
この構成により、視聴者にとってユーザビリティの高いコンテンツ視聴端末を実現できる。
【００４０】
第１５の発明に係るコンテンツ視聴端末は、データ情報表示許可部は、遅延検出部で検出された遅延時間の経過後に、再生データ情報を表示する。
【００４１】
この構成により、実時刻よりも遅延して再生されている再生コンテンツの表示と、再生データ情報の表示との時間的競合を自動的に防止でき、視聴者の利益を損なうことのないコンテンツ視聴端末を実現できる。
【００４２】
第１６の発明に係るコンテンツ視聴端末は、テレビ受信機である。
【００４３】
中断期間のコンテンツのつなぎ再生などの機能を有した上で、再生コンテンツの表示と再生データ情報の表示の競合を防止する機能を有したインテリジェンスの高いテレビ受信機を実現できる。
【００４４】
第１７の発明に係るコンテンツ視聴端末は、テレビ受信機能を有する携帯電話である。
【００４５】
視聴中断対応や配信遅れなどで遅延しうる再生コンテンツの表示と再生データ情報の表示の競合を防止する機能を有したインテリジェンスの高いテレビ受信機能を有した携帯電話を実現できる。
【発明の効果】
【００４６】
本発明によれば、種々の理由によりコンテンツ再生が再生時刻が実時刻より遅延しているコンテンツ視聴端末において、コンテンツの再生と無関係にリアルタイムに配信されるデータ情報の表示を、コンテンツ再生の遅延に対応して行うことができるので、コンテンツとデータ情報の表示を競合させることがない。このため、コンテンツの表示が終了してから表示されるべきデータ情報は、コンテンツの再生、表示が遅延している場合であっても、コンテンツの再生、表示の終了後に表示される。
【００４７】
以上により、視聴者の不利益を生じさせることのない適切なデータ情報の表示が実現される。
【００４８】
また、コンテンツ再生の実時間に対する遅延と、コンテンツとデータ情報との関連性を自動検出した上で、データ情報表示の形態を切り替えることが自動で行えるため、視聴者の余分な処理負荷を必要とせずに、コンテンツとデータ情報の表示の競合を防止できる。
【００４９】
更に、視聴者による設定も受け付けることで、視聴者にとってユーザビリティを高めたデータ情報の表示形態を切り替えることができ、視聴者の利益に適応したデータ情報の表示が可能となる。
【発明を実施するための最良の形態】
【００５０】
以下、図を用いて説明する。
【００５１】
図１は、本発明の実施の形態におけるコンテンツ視聴端末のブロック図である。図１では、放送局１から放送網２を通じて、コンテンツ３とデータ情報４が配信される構成が表されている。
【００５２】
なお、コンテンツ視聴端末は、地上放送、衛星放送、ケーブル放送、ブロードバンド放送などにより配信される放送を受信するテレビ受信機や、テレビ受信機能を有する携帯電話や携帯端末、パーソナルコンピューターなどである。
【００５３】
また、コンテンツはテレビ番組や音声番組などであり、スポーツ中継やドラマ、映画などのいわゆる放送される番組などである。また、データ情報は、コンテンツとは別個に配信される文字や音声や画像による情報であり、例えば試合結果、選挙結果、緊急ニュースなどのコンテンツの放映の状況に関わらず配信される情報である。テレビ受信機や放送網の進歩に伴い、双方向を含むデータ情報も含まれる。また、データ情報が放送局によるものだけでなく、インターネットやブロードバンドを通じて配信されることもあり、データ情報配信のみのサービスにより配信されることもある。データ情報はコンテンツに重ねて表示されることが多い。
【００５４】
まず、コンテンツ視聴端末５の概略について説明する。
【００５５】
コンテンツ視聴端末５は、次の要素を備える。コンテンツ受信部７は配信されるコンテンツ３を受信し、データ情報受信部９は同様に配信されるデータ情報４を受信する。更に、再生部１１は、コンテンツ受信部７で受信された受信コンテンツ８と、データ情報受信部９で受信された受信データ情報１０を再生する。データ情報表示許可部１３は、再生データ情報１４の表示を許可する。表示部１５は、再生部１１で再生された再生コンテンツ１２と再生データ情報１４を表示する。
【００５６】
配信されたコンテンツ３とデータ情報４はアンテナ６を介してコンテンツ受信部７とデータ情報受信部９で受信される。コンテンツ受信部７は、コンテンツ３を受信して受信コンテンツ８を出力する。同様に、データ情報受信部９は、データ情報４を受信して受信データ情報１０を出力する。再生部１１は、入力した受信コンテンツ８と受信データ情報１０を視聴可能な状態に再生して、再生コンテンツ１２と再生データ情報１４を出力する。再生コンテンツ１２は、そのまま表示部１５に入力するが、再生データ情報１４はデータ情報表示許可部１３を経由して表示部１５に入力する。データ情報表示許可部１３は、再生データ情報１４の表示の許可を判断する。ここで、データ情報表示許可部１３は、再生データ情報１４の即時表示、及び再生データ情報１４の遅延表示、及び問い合わせ表示のいずれかを判断する。
【００５７】
再生コンテンツ１２は、放送網２での配信の不都合や、視聴者による中断再開を用いた視聴により、実際の進行時間よりも送れて表示される場合がある。このような場合に、再生コンテンツ１２の再生、表示が終了しない時に再生データ情報１４が表示されてしまうことは、視聴者の視聴の楽しみを著しく損なうことになる。このため、データ情報表示許可部１３が、これらの状況に対応して再生データ情報１４の表示タイミングを制御する。
【００５８】
次に、各部の詳細や別態様について説明する。
【００５９】
まず、データ情報４の配信の別態様について説明する。
【００６０】
図２は本発明の実施の形態におけるコンテンツ視聴端末のブロック図である。
【００６１】
図２には、データ情報４が放送局１からの配信ではなく、電子メールサーバー１６からの電子メールにより、インターネット網１７を介して配信される構成が表されている。
【００６２】
データ情報４は、スポーツ中継などのコンテンツ３を配信している放送局１と異なる主体により配信されることも多い。特に、近年インターネット網１７などを利用した電子メールによるコンテンツ３に関連するデータ情報４を配信するサービスも多く存在する。このような電子メールによるデータ情報４は、コンテンツ視聴端末５にリアルタイムに配信される。このため、再生コンテンツ１２の表示が実時間よりも遅れている場合には、再生コンテンツ１２と再生データ情報１４の表示が競合することがある。例えば、コンテンツ３がスポーツ番組であって、表示されている試合が終了する前に試合結果に関するデータ情報４が表示されることなどが生じうる。これは、視聴者の視聴の楽しみを著しく損なう。
【００６３】
このため、図１の場合と同様に、データ情報表示許可部１３が、電子メールにより配信される再生データ情報１４の表示タイミングを制御する。
【００６４】
次に、受信コンテンツ８の再生、表示が実時間よりも遅れる状況を説明する。
【００６５】
図３、図４は本発明の実施の形態におけるコンテンツ視聴端末のブロック図である。
【００６６】
図３には、受信コンテンツ８がコンテンツ記録部１８で記録されて、記録コンテンツ１９が再生部１１で再生される構成が表されている。図４には、コンテンツ記録部１８で記録された記録コンテンツ１９と受信コンテンツ８とが切り替え部２０で選択されて再生部１１で再生される構成が表されている。
【００６７】
コンテンツ記録部１８は、ハードディスクドライブや半導体メモリなどの記録媒体を有する記録部であり、テレビ受信機やセットトップボックス、ビデオ、あるいはＤＶＤレコーダーなどに組み込まれている。視聴者が視聴することができない場合に、受信コンテンツ８を記録することで、配信されるコンテンツを見逃さないようにするために設けられている。このようなコンテンツ記録部１８で記録された記録コンテンツ１９の視聴により、実時間よりも遅れた視聴が発生する。
【００６８】
また、図４に示されるコンテンツ記録部１８は、いわゆる視聴中断時に用いられる。視聴者がリアルタイムに配信されるコンテンツを視聴している最中に、視聴を中断する必要が生じる場合がある。コンテンツ記録部１８は、一定時間分の受信コンテンツ８を常に上書き記録する。一定時間は、視聴者の中断時間として想定される数分から数十分程度の時間が好適であるが、これ以下、これ以上であってもよい。コンテンツ記録部１８は、視聴中断中も、一定時間単位の受信コンテンツ８の上書き記録を行っている。
【００６９】
ここで、視聴中断があった場合には、切り替え部２０は、視聴中断時からの記録コンテンツ１９を選択して再生部１１に出力する。再生部１１は、それまでの受信コンテンツ８の再生から、記録コンテンツ１９の再生に切り替えて表示部１５に出力する。表示部１５は、視聴中断時からの再生コンテンツ１２を表示する。以上により、視聴中断の再開後に、中断時からのコンテンツ３を見逃すことなく視聴することが可能となる。
【００７０】
このような中断期間を見逃さない視聴の場合も、中断時間に応じて、コンテンツの再生、表示は実時間よりも遅れてしまう。
【００７１】
このように、視聴者の不都合に対応した記録コンテンツ１９の活用により、実時間に対して遅延した再生、表示が生じうる。特に、スポーツ中継などではリアルタイムにコンテンツ３が配信されるが、視聴者が視聴しているときは、実際の試合進行よりも数分とか、数十分とかの遅延が生じていることもありうる。この場合に、リアルタイムにデータ情報４が配信されて、再生コンテンツ１２と再生データ情報１４との表示が競合する場合が生じうる。例えば、コンテンツが終了する前に（すなわち、視聴者にとっては試合を見終わる前に）試合結果を含むデータ情報が表示されることもありうる。この場合には当然ながら、視聴者の視聴の楽しみを著しく損なう。
【００７２】
次に、データ情報表示許可部１３について説明する。
【００７３】
図５は、本発明の実施の形態におけるコンテンツ視聴端末のブロック図である。データ情報表示許可部１３は、再生コンテンツ１２の再生時刻の実時間に対する遅延時間を検出する遅延検出部２２と、再生コンテンツ１２と再生データ情報１４との関連度を算出する関連度算出部２３と、これらの算出結果に基づいて再生データ情報１４を即座に表示するかを決定する表示決定部２４を備えている。再生データ表示１４の表示の許可の可否は、遅延検出部２２と関連度算出部２３の結果に応じて決定される。
【００７４】
まず、図６、図７を用いて遅延検出部２２について説明する。遅延検出部２２は、再生コンテンツ１２の再生時刻が、実時間よりもどの程度遅延しているかを検出する。すなわち、視聴中断に起因する遅延、あるいは放送網２に起因する遅延、あるいは記録コンテンツ１９の再生に起因する遅延の遅延時間を検出する。この遅延検出により、実時間に対してリアルタイム性を有している再生データ情報１４との競合の発生が生じうるかを検出することができる。
【００７５】
図６は、本発明の実施の形態における遅延検出部２２の処理を説明図であり、図７は、本発明の実施の形態における遅延時間算出処理を説明図である。
【００７６】
遅延検出部２２は、再生コンテンツ１２が有する再生時刻情報２５と、実際の時刻である実時刻情報２６を基に、遅延時間ｔＸを検出して遅延情報２７を出力する。
【００７７】
遅延検出部２２は、再生コンテンツ１２に含まれる再生時刻情報２５と実時刻情報２６の差分を検出して遅延時間ｔＸを算出する。
【００７８】
遅延時間ｔＸは、図７に表されるように、再生されたフレーム数Ｎと、フレーム間隔Δを用いて算出される。図７に表されるように、再生時刻ｔ、再生開始時刻ｔＡ、フレーム間隔Δ、再生の完了したフレーム数Ｎの場合に、再生時刻ｔは、次式で表される。
【００７９】
ｔ＝ｔＡ＋Δ（Ｎ−１）
このとき、視聴中断による中断時からの再生が行われていた場合には、フレーム数Ｎは、本来再生されるフレーム数よりも少ない数になっている。このため、再生時刻ｔは実時間Ｔよりも小さな値になっている。これから、遅延時間ｔＸは次式で表される。
【００８０】
ｔＸ＝Ｔ−ｔ
遅延検出部２２は、遅延時間ｔＸを検出して、遅延時間ｔＸが所定値以上である場合は、遅延があると判断する。この遅延時間ｔＸは、再生データ情報１４の表示の許可を決定する要素の一つである。
【００８１】
次に、同じく表示許可を決定する要素である、再生コンテンツ１２と再生データ情報１４の関連度を算出する関連度算出部２３について説明する。
【００８２】
図８は本発明の実施の形態における関連度算出部２３の処理を説明図である。
【００８３】
関連度算出部２３は、まず入力した再生コンテンツ１２と再生データ情報１４に含まれる用語やワードを比較する。
【００８４】
まず、再生データ情報１４に含まれる文字情報や音声情報から、用語やワードが抽出される。このとき、一般的な用語や接続詞などを除いたキーワードが抽出される。例えば、スポーツ中継に関する再生データ情報１４であれば、「野球」、「サッカー」などの競技名、あるいは「勝敗」、「点数」などの用語やワードが抽出されるキーワードとなる。あるいは選挙速報などに関するものであれば、「選挙区」、「当確」などの用語やワードが抽出されるキーワードである。
【００８５】
次に、再生データ情報１４から抽出されたキーワードを基に、再生コンテンツ１２に含まれる用語やワードとの比較が行われる。用語比較部４０は、再生コンテンツ１２に再生データ情報１４から抽出されたキーワードに対応する用語やワードが含まれているかを検索する。再生コンテンツ１２に含まれる文字情報や音声情報が用いられる。このとき、キーワードが「野球」である場合には、「ベースボール」などの類似語や、野球のチーム名などまで拡張して検索を行うことも好適である。また、キーワードが「点数」や「勝敗」などの場合には、視聴者にとって影響の大きなキーワードであるので検索用語を更に拡張することが好適である。例えば、キーワードが「勝敗」である場合には、競技名を絞らずスポーツ競技に関わる用語を広く検索することもよい。もちろん、検索を広く行う場合には、ノイズも多く拾うことになるので、適宜検索を絞り込んでいくことも好適である。また、広域検索から限定検索へと検索対象を絞っていくこともよい。あるいは視聴者によりあらかじめ検索用語などを設定しておくこともよい。
【００８６】
また、用語検索部４０で、キーワードに対応する用語やワードが検索されると、共通用語数算出部４１はこの対応する用語の数を算出する。再生データ情報１４から抽出されたキーワードが「野球」と「勝敗」である場合に、検索された対応用語が「プロ野球」、「８回の表」、「試合経過」の場合は、共通用語数は値「３」として算出される。この共通用語数の値に応じて、関連度４２が算出される。関連度４２は、共通用語数が所定値以上であれば、関連度が高いと判断され、所定値未満であれば関連度が低いと判断される。この所定値は必要に応じて変更可能であってもよく、視聴者によって設定可能であってもよい。また、共通用語数により関連度４２を算出するのではなく、共通する用語の一致性レベルにより算出することも好適である。例えば、キーワードと完全に一致する用語が検出された場合には、関連度が高いとして算出されてもよい。また、関連度の算出が、共通用語数により行われるか、もしくは用語の一致性レベルを基に行われるかが、視聴者によって設定可能であることも、ユーザーフレンドリーの点から好ましい。
【００８７】
以上のように、遅延検出部２２により検出される再生コンテンツ１２の再生時刻の実時刻に対する遅延時間ｔＸと、関連度算出部２３により算出される再生データ情報１４と再生コンテンツ１２との関連度４２を基に、表示決定部２３は再生データ情報１４の表示の可否を決定する。
【００８８】
次に、再生データ情報１４の表示の可否の決定処理について説明する。
【００８９】
ここで、表示の可否では、表示を許可する場合にはデータ情報画面４５を表示し、表示を非許可にする場合には、問い合わせ画面４６を表示する処理により、可否の決定処理が行われる場合について図９から図１１を用いて説明する。
【００９０】
図９は、本発明の実施の形態におけるデータ情報画面の模式図であり、図１０は本発明の実施の形態における問い合わせ画面の模式図であり、図１１は、本発明の実施の形態におけるデータ情報表示決定部での処理のフローチャートである。ここでは、データ情報がスポーツの試合結果であるとして説明する。
【００９１】
図９に表されるように、データ情報画面４５は、点数を含めたスポーツの試合結果の情報である。問い合わせ画面４６は、視聴者に対して受信したデータ情報４が視聴中のコンテンツに関わる情報を含んでいる事を通知している。さらに、このデータ情報の表示の可否が視聴者に対して問い合わされている。データ情報の表示が、視聴者の利益を損なわない場合には、データ情報画面４５が即座に表示され、視聴者の利益を害する可能性がある場合（まだ、スポーツ中継そのものを見終わっていない場合など）には、データ情報画面４５の表示前に問い合わせ画面４６が表示される。
【００９２】
なお、データ情報画面４５と問い合わせ画面４６は、視覚により視認される画像表示だけでなく、聴覚により認識される音声表示であってもよく、表示方式が限られるものではない。問い合わせ画面４６は、画像、音声、その他の方法で表示される問い合わせ表示の一例に過ぎない。
【００９３】
次に、図１１のフローチャートを用いて、これらの処理について説明する。
【００９４】
まず、ステップ１にて、再生コンテンツ１２の再生時刻の実時間に対する遅延時間ｔＸが検出される。この遅延検出は、遅延検出部２２について説明した処理で行われる。次に、ステップ２にて、遅延発生の有無が判断される。遅延発生は、遅延時間ｔＸと所定値との比較により行われ、例えば遅延時間ｔＸが数１０秒以上で遅延発生と判断してもよく、数分以上で遅延発生と判断してもよい。
【００９５】
なお、この所定値は、コンテンツの種類に応じて定められてもよい。あるいは視聴者により設定されてもよい。
【００９６】
ステップ２にて、遅延発生が検出されない場合には、データ情報画面４５が表示される。遅延発生が無い場合には、再生データ情報１４が即座に表示されても、表示されている再生コンテンツ１２との時差は発生しないので、視聴者に不利益は生じないからである。
【００９７】
逆に、ステップ２にて、遅延発生が検出された場合には、ステップ３にて、再生データ情報１４と再生コンテンツ１２との関連度４２が算出される。次に、ステップ４にて、関連度４２の度合いが判断される。関連度４２が所定値未満の場合には、データ情報画面４５が表示される。再生コンテンツ１２の再生時刻が、実時刻に対して遅延を有している場合でも、再生データ情報１４は再生コンテンツ１２に対して関連性が無いので、データ情報画面４５が表示されても視聴者への不利益は生じないからである。逆に、ステップ４にて、関連度４２が所定値以上と判断された場合には、問い合わせ画面４６が表示される。視聴者は、表示された問い合わせ画面４６に対して、データ情報画面４５を表示させるかを指示する。この指示に応じて、データ情報画面４５が、視聴者の利益を損なわないように事後的に表示される。
【００９８】
なお、以上はデータ情報表示許可部１３が、再生コンテンツ１２の再生時刻の遅延検出と、再生コンテンツ１２と再生データ情報１４との関連度４２の算出により、自動的にデータ情報画面４５と問い合わせ画面４６とを切り替え表示させるが、視聴者の設定により、問い合わせ画面４６の表示無く、即座にデータ情報画面４５を表示させてもよい。また、問い合わせ画面４６ではなく、再生データ情報１４を表示しなかった事実を通知する画面を表示してもよい。これらは、視聴者のユーザビリティに応じて処理されればよい。
【００９９】
ここで、視聴者の設定に応じた処理を行うコンテンツ視聴端末５について、図１２を用いて説明する。図１２は、本発明の実施の形態におけるコンテンツ視聴端末のブロック図である。
【０１００】
図１２には、視聴者による設定部が設けられたコンテンツ視聴端末が表されている。設定部６０は、外部入力装置６１による視聴者の指示を設定する。設定部６０は、データ情報表示制御部１３に、設定した設定項目を出力する。ここで、設定項目は、問い合わせ画面４６を表示することの切り替え、即座に再生データ情報１４を表示すること、事後的に再生データ情報１４を表示することなどを含む。
【０１０１】
データ情報表示許可部１３は、設定されたこれらの設定項目に従い、再生データ情報１４の表示形態を切り替える。例えば、問い合わせ画面４６を要するとの設定の場合には、必要に応じて問い合わせ画面４６が表示される。あるいは問い合わせ画面４６を要さない場合には、再生データ情報１４が即座に表示される。あるいは、事後的に再生データ情報１４が表示される。もちろん、これら以外の設定がなされて、設定項目に対応した処理がなされればよい。このような設定部６０が設けられることで、視聴者の要望に応じた再生データ情報１４の表示が可能となる。
【０１０２】
あるいは、検出された遅延に対応する時間の経過後に、再生データ情報１４を表示させてもよい。このように、検出された遅延分だけ遅らせて、再生データ情報１４を表示することで視聴者が再生コンテンツ１２の視聴が終わらないうちに、試合結果などの再生データ情報１４の表示がされることでの不利益を生じさせないからである。すなわち、図７で説明された遅延時間ｔＸ分の経過後に再生データ情報１４が表示される。
【０１０３】
このとき、再生データ情報１４と再生コンテンツ１２の関連度４２が所定値以上であって、関連性が高いと判断された場合に、このように、遅延時間ｔＸ分の再生データ情報１４の遅延表示が実行される。この場合には、問い合わせ画面４６の表示や、問い合わせに対する視聴者の指示に対する処理などの負荷が削減されるメリットがある。これは、コンテンツ視聴端末５にとっても負荷削減となり、視聴者にとっても負荷削減となる。
【０１０４】
表示部１５は、画像、音声などによる表示を行うブロックであり、再生コンテンツ１２、再生データ情報１４を含めた、画像、音声表示を行う。表示部１５は、音声を表示するスピーカや、画像を表示する液晶ディスプレイ、プラズマディスプレイ、ブラウン管、ＬＥＤパネルなどから構成される。
【０１０５】
以上のコンテンツ視聴端末５により、視聴中断に対応する記録コンテンツ１９の再生などによる、再生時刻の実時刻に対する遅延により、遅延している再生コンテンツ１２の表示とリアルタイムに受信される再生データ情報１４の表示が競合して視聴者の利益を損なう場合であっても、この状態を自動で検出して、再生データ情報１４を即座に表示するのではなく、問い合わせ画面４６の表示や、再生コンテンツ１２の終了後の表示を行うことで、視聴者の不利益を回避した、データ情報の表示が可能となる。これにより、ユーザビリティの高いコンテンツ視聴端末を実現できる。
【０１０６】
なお、コンテンツ受信部７、データ情報受信部９、再生部１１、データ情報表示許可部１３、コンテンツ記録部１８、切り替え部２０はハードウェアで実現されても、ソフトウェアで実現されてもよく、ハードウェアとソフトウェアの両方で実現されてもよい。また、これらの全部、もしくは一部がＬＳＩで実現されてもよい。
【産業上の利用可能性】
【０１０７】
本発明は、例えば、コンテンツ再生の遅延再生が行われるコンテンツ視聴端末であって、リアルタイムに配信されるデータ情報と遅延再生されているコンテンツとの表示の競合を防止するコンテンツ視聴端末の分野等において好適に利用できる。
【図面の簡単な説明】
【０１０８】
【図１】本発明の実施の形態におけるコンテンツ視聴端末のブロック図
【図２】本発明の実施の形態におけるコンテンツ視聴端末のブロック図
【図３】本発明の実施の形態におけるコンテンツ視聴端末のブロック図
【図４】本発明の実施の形態におけるコンテンツ視聴端末のブロック図
【図５】本発明の実施の形態におけるコンテンツ視聴端末のブロック図
【図６】本発明の実施の形態における遅延検出部２２の処理を説明図
【図７】本発明の実施の形態における遅延時間算出処理を説明図
【図８】本発明の実施の形態における関連度算出部２３の処理を説明図
【図９】発明の実施の形態におけるデータ情報画面の模式図
【図１０】本発明の実施の形態における問い合わせ画面の模式図
【図１１】本発明の実施の形態におけるデータ情報表示決定部での処理のフローチャート
【図１２】本発明の実施の形態におけるコンテンツ視聴端末のブロック図
【図１３】従来の技術におけるコンテンツ視聴端末のブロック図
【図１４】従来の技術におけるデータ情報画面の模式図
【符号の説明】
【０１０９】
１、１００  放送局
２、１０２  放送網
３、１０３  コンテンツ
４、１０４  データ情報
５、１０１  コンテンツ視聴端末
６、１０５  アンテナ
７、１０６  コンテンツ受信部
８、１１０  受信コンテンツ
９、１０７  データ情報受信部
１０、１１１  受信データ情報
１１、１１２  再生部
１２  再生コンテンツ
１３  データ情報表示許可部
１４  再生データ情報
１５、１１３  表示部
１６  電子メールサーバー
１７  インターネット網
１８  コンテンツ記録部
１９、１０９  記録コンテンツ
２０  切り替え部
２２  遅延検出部
２３  関連度算出部
２４  表示決定部
２６  実時刻情報
２７  遅延情報
３０  再生フレーム
３１  開始フレーム
４０  用語比較部
４１  共通用語数算出部
４２  関連度
４５  データ情報画面
４６  問い合わせ画面
６０  設定部
６１  外部入力装置
【図１】
2006222681.tif 000003
【図２】
2006222681.tif 000004
【図３】
2006222681.tif 000005
【図４】
2006222681.tif 000006
【図５】
2006222681.tif 000007
【図６】
2006222681.tif 000008
【図７】
2006222681.tif 000009
【図８】
2006222681.tif 000010
【図９】
2006222681.tif 000011
【図１０】
2006222681.tif 000012
【図１１】
2006222681.tif 000013
【図１２】
2006222681.tif 000014
【図１３】
2006222681.tif 000015
【図１４】
2006222681.tif 000016